(57)【要約】      （修正有）【課題】人工的なエネルギーを必要とせず、また安価で設置が容易であり、夏場には屋根裏の空間の換気をし、冬場には屋根裏の空間の換気をしない機能を有する、屋根裏換気用器具、該屋根裏換気用器具付換気瓦、該屋根裏換気用器具付換気瓦装置、屋根裏換気装置を提供する。【解決手段】家屋の屋根に葺かれる一部の瓦に、雨水が浸入し難いような態様で換気通路１０２が設けられた瓦１００を作成し、該換気通路１０２の一部に温度の変化に応じて収縮する形状記憶合金製のバネを利用して、バネ部周辺の気温が高い時には前記バネ部が収縮して蓋が開けられ、逆にバネ部周辺の気温が低い時には前記バネ部が伸長して蓋が閉じられる機能を有する換気用金具を装着し、該金具が装着された瓦を換気通路１０２のない一般的な瓦の一部に配置する。【選択図】図１
0003181097.tif 000002
【実用新案登録請求の範囲】
【請求項１】
瓦裏面に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える換気筒部を有する屋根裏換気用の換気瓦に装着される屋根裏換気用器具であって、
前記屋根裏換気用器具は、本体部と第1換気孔開閉部と中仕切り部と金網装着部とを有し、装着時には前記本体部は換気瓦の第1換気孔に嵌め込まれ固定され、前記第1換気孔開閉部と前記中仕切り部と前記金網装着部は前記換気通路内に収められ、
前記本体部は、前記換気瓦第1換気孔と類似の形状を有し、
前記第1換気孔開閉部は、前記本体部に設けられる開口部と該開口部に設置される蓋部と、該蓋部の前記換気通路側に設置されるバネ部と前記バネ部を固定するバネ保持部と、を有し、
前記バネ部は、バネ周辺の気温に依存して収縮・伸長する形状記憶合金製であって、
前記蓋部は、バネ部周辺の気温が高い時には前記バネ部が収縮して蓋が開けられ、逆にバネ部周辺の気温が低い時には前記バネ部が伸長して蓋が閉じられる構造を有し、
前記中仕切り部は、前記本体部の1辺に一体化して略垂直に形成され、前記堰部の換気通路に対する垂直面と類似の形状を有し、前記堰部に密着固定され、
前記金網装着部は、前記中仕切り部に一方の端を固定され前記第２換気孔まで到達する細長の矩形板であって、固定されない側の端は折り曲げられて前記第2換気孔を塞ぐ金網を装着することができ、
前記形状記憶合金製のバネ部の伸縮によって、野地板の開口部と前記屋根裏換気用器具の第1換気孔開閉部を通じて、自然に屋根裏の換気を行い得ることを特徴とする屋根裏換気用器具。
【請求項２】
瓦裏面に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える換気筒部を有する屋根裏換気用の換気瓦に、
請求項１に記載の屋根裏換気用器具を装着することを特徴とする屋根裏換気用器具付換気瓦。
【請求項３】
請求項２に記載の屋根裏換気用器具を装着することを特徴とする屋根裏換気用器具付換気瓦を野地板の上に葺く際に、前記換気瓦を葺く位置に設けられる野地板の開口部と前記換気瓦の間に設置されて、換気瓦および野地板の開口部から雨水が屋根裏の中に侵入することを防御できる野地板用保護板であって、
前記野地板用保護板は第1保護板と第２保護板と、を有し、
第1保護板は、前記野地板開口部に対峙する第1矩形孔部と、設置時に前記第1保護板の水上側の長辺に雨水の浸入防止用に前記瓦側への立ち上がり縁部と、第1矩形孔部の水上側の長辺に雨水の浸入防止用に野地板側への折り曲げ縁部と、を有し、
第２保護板は前記第1保護板の上に配置され、第1矩形孔部より開口面積が小さく第1矩形孔部に含まれる大きさの第2矩形孔部を有し、前記第2矩形孔部は前記換気瓦の第1換気孔の位置に対応して左右にスライドして孔の位置を調整することを可能とする構造であって、
前記第２保護板は雨水の浸入防止用に、設置時に第２矩形孔部の水下側の長辺に、前記第１孔部を通過して野地板側に傾斜し、その外周に前記瓦側への立ち上がり縁を有する受け皿部を備え、前記第２矩形孔部の前記長辺以外の外周部に前記瓦側への立ち上がり縁を有し、
前記瓦の第1換気孔の位置に対応して前記第2矩形孔部の位置調整をすることにより、野地板開口部から屋根裏への雨水等の侵入を阻止できることを特徴とする野地板用保護板。
【請求項４】
請求項２に記載の屋根裏換気用器具付換気瓦と請求項３に記載の野地板用保護板とから構成され、
野地板開口部から屋根裏への雨水の侵入を阻止でき、天候および気温の変化に応じて屋根裏の自然換気を可能とすることを特徴とする屋根裏換気用器具付換気瓦装置。
【請求項５】
請求項４に記載の屋根裏用換気装置を屋根の棟付近の適当な位置に偶数個配置することにより、野地板開口部からの雨水の侵入を阻止しつつ、天候および気温の変化に応じて屋根裏の自然換気を実現することを特徴とする屋根裏用換気装置。
【考案の詳細な説明】
【技術分野】
【０００１】
本考案は、屋根裏等の換気に有用な換気瓦、及び／又は、該換気瓦に設置する換気用器具に関する。
【背景技術】
【０００２】
近年、全世界的な規模における、二酸化炭素の排出量の削減、石油等の化石燃料への依存度を低減するために、人工的なエネルギーの消費を抑制する各種の施策、技術の開発が推進され、このような施策は「エコ」施策、このような施策を実現する各種の製品は「エコ」製品ともいわれ、官民一体で、これらの施策等が推進されている。
【０００３】
このような「エコ」施策の実現の一環として、エネルギーの消費の節減が考えられる。ここで、一般住宅においては、家屋の冷暖房のためのエネルギーの消費の節減が重要である。
一般的な家屋では、所謂瓦が屋根に葺かれている。
この瓦の葺かれた屋根に求められる機能としては、降雨時に雨水に対する防水機能が要求される。雨の降り方は、降雨時の風向き等により変化するために、瓦の葺き方に工夫がされている。
【０００４】
一般的な家屋では、屋根の下に天井が設けられる。そのために、天井と屋根の間には空間ができ、一般的には、この空間部分は屋根裏と呼ばれる。この屋根裏の空間は通常空気
で満たされ、また、空気自体は熱伝導率が低いので、この屋根裏の空間は外気と天井の下の空間との間の、断熱機能を果たし、家屋における冷暖房においては、屋根裏の温度と換気が重要な役割を果たすことになる。
【０００５】
具体的には、夏場は屋根に降り注ぐ日射量が多いために、屋根に葺かれた瓦の温度は、外気温より相当に高いものになり、屋根裏の空間の温度の上昇を招き、空気自体の熱伝導率は低いものの、徐々に、天井の下の屋内空間の温度の上昇を、招くこととなるので、屋根裏の空間の空気を換気すると、天井の下の屋内空間の温度の上昇を防止できる。
【０００６】
逆に、冬季は、屋根裏の空間を換気しないことにより、天井の下の屋内空間の中の熱が外気に、放出されてしまうことを防止できる。
【０００７】
係る、観点より、屋根裏の一部に換気装置を設置し、主に電気を動力源として屋根裏の温度により、一定の温度以上になった場合には、換気扇を稼動させて、屋根裏内の空気を換気し、一定の温度未満の場合には、換気扇を稼動させないで、天井の下の屋内空間の中の熱が外気に、放出されてしまうことを防止する屋根裏換気装置が知られている。
【０００８】
しかしながら、このような屋根裏換気装置は電気というエネルギーを消耗し、また、機械部品であるので、メインテナンスが必要である。
【０００９】
そこで、考案者は、係る事情に鑑み、何らの人工エネルギーを必要とせず、また、
より、安価で、設置が可能であり、夏場には、屋根裏の空間の換気をし、冬場には屋根裏の空間の換気をしない機能を有する、屋根裏換気用器具、該屋根裏換気用器具付換気瓦、該屋根裏換気用器具付換気瓦装置を考案した。
【先行技術文献】
【特許文献】
【００１０】
【特許文献１】特開平１０―６１１３３
【考案の概要】
【考案が解決しようとする課題】
【００１１】
何らの人工エネルギーを必要とせず、また、安価で、設置が容易であり、夏場には、屋根裏の空間の換気をし、冬場には屋根裏の空間の換気をしない機能を有する、屋根裏換気用器具、該屋根裏換気用器具付換気瓦、該屋根裏換気用器具付換気瓦装置を提供する。
【課題を解決するための手段】
【００１２】
第１の考案は、瓦裏面に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える換気筒部を有する屋根裏換気用の換気瓦に装着される屋根裏換気用器具であって、
前記屋根裏換気用器具は、本体部と第1換気孔開閉部と中仕切り部と金網装着部とを有し、装着時には前記本体部は換気瓦の第1換気孔に嵌め込まれ固定され、前記第1換気孔開閉部と前記中仕切り部と前記金網装着部は前記換気通路内に収められ、
前記本体部は、前記換気瓦第1換気孔と類似の形状を有し、
前記第1換気孔開閉部は、前記本体部に設けられる開口部と該開口部に設置される蓋部と、該蓋部の前記換気通路側に設置されるバネ部と前記バネ部を固定するバネ保持部と、を有し、
前記バネ部は、バネ周辺の気温に依存して収縮・伸長する形状記憶合金製であって、
前記蓋部は、バネ部周辺の気温が高い時には前記バネ部が収縮して蓋が開けられ、逆にバネ部周辺の気温が低い時には前記バネ部が伸長して蓋が閉じられる構造を有し、
前記中仕切り部は、前記本体部の1辺に一体化して略垂直に形成され、前記堰部の換気通路に対する垂直面と類似の形状を有し、前記堰部に密着固定され、
前記金網装着部は、前記中仕切り部に一方の端を固定され前記第２換気孔まで到達する細長の矩形板であって、固定されない側の端は折り曲げられて前記第2換気孔を塞ぐ金網を装着することができ、
前記形状記憶合金製のバネ部の伸縮によって、野地板の開口部と前記屋根裏換気用器具の第1換気孔開閉部を通じて、自然に屋根裏の換気を行い得ることを特徴とする。
【００１３】
第２の考案は、屋根裏換気用器具付瓦であって、
瓦裏面に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える換気筒部を有する屋根裏換気用の換気瓦に、
請求項１に記載の屋根裏換気用器具を装着することを特徴とする。
【００１４】
第３の考案は、野地板用保護板であって、
第２の考案に記載の屋根裏換気用器具を装着することを特徴とする屋根裏換気用器具付換気瓦を野地板の上に葺く際に、前記換気瓦を葺く位置に設けられる野地板の開口部と前記換気瓦の間に設置されて、換気瓦および野地板の開口部から雨水が屋根裏の中に侵入することを防御できる野地板用保護板であって、
前記野地板用保護板は第1保護板と第２保護板と、を有し、
前記第1保護板は、前記野地板開口部に対峙する第1矩形孔部と、設置時に前記第1保護板の水上側の長辺に雨水の浸入防止用に前記瓦側への立ち上がり縁部と、第1矩形孔部の水上側の長辺に雨水の浸入防止用に野地板側への折り曲げ縁部と、を有し、
前記第２保護板は前記第1保護板の上に配置され、前記第1矩形孔部より開口面積が小さく第1矩形孔部に含まれる大きさの第2矩形孔部を有し、前記第2矩形孔部は前記換気瓦の第1換気孔の位置に対応して左右にスライドして孔の位置を調整することを可能とする構造であって、
前記第２保護板は雨水の浸入防止用に、設置時に第２矩形孔部の水下側の長辺に、前記第１孔部を通過して野地板側に傾斜し、その外周に前記瓦側への立ち上がり縁を有する受け皿部を備え、前記第２矩形孔部の前記長辺以外の外周部に前記瓦側への立ち上がり縁を有し、
前記瓦の第1換気孔の位置に対応して前記第2矩形孔部の位置調整をすることにより、野地板開口部から屋根裏への雨水等の侵入を阻止できることを特徴とする。
【００１５】
第４の考案は、屋根裏用換気装置であって、
第２の考案に記載の屋根裏換気用器具付換気瓦と第３の考案に記載の野地板用保護板とから構成され、
野地板開口部から屋根裏への雨水の侵入を阻止でき、天候および気温の変化に応じて屋根裏の自然換気を可能とすることを特徴とする。
【００１６】
第５の考案は、屋根裏換気用器具付換気瓦装置であって、
第の４考案に記載の屋根裏用換気装置を屋根の棟付近の適当な位置に偶数個配置することにより、野地板開口部からの雨水の侵入を阻止しつつ、天候および気温の変化に応じて屋根裏の自然換気を実現することを特徴とする。
【考案の効果】
【００１７】
本考案何らの人工エネルギーを必要とせず、また、安価で、設置が容易であり、夏場には、屋根裏の空間の換気をし、冬場には屋根裏の空間の換気をしない機能を有する、屋根裏換気用器具、該屋根裏換気用器具付換気瓦、該屋根裏換気用器具付換気瓦装置を提供する。
【図面の簡単な説明】
【００１８】
【図１】本考案に係る屋根裏換気用器具を装着する換気瓦の構成を示す換気瓦の表面側から見た説明用斜視図である。
【図２】本考案に係る屋根裏換気用器具の構成を示す説明用斜視図である。
【図３】本考案に係る屋根裏換気用器具を装着する換気瓦の表面側から見た内部の構成を示す説明用一部断面斜視図である。
【図４】本考案に係る屋根裏換気用器具を装着する換気瓦の裏面側の構成を示す説明用斜視図である。
【図５】本考案に係る屋根裏換気用器具を装着された換気瓦の裏面側から見た内部の構成を示す説明用斜視図である。
【図６】本考案に係る屋根裏換気用器具を装着された換気瓦の裏面側の説明用正面図である。
【図７】本考案に係る屋根裏換気用器具を装着する換気瓦を屋根に葺いた様子を示す説明用斜視図である。
【図８】本考案に係る屋根裏換気用器具付換気瓦を屋根に葺く際に使用する野地板用保護板の構成を示す説明用斜視図である。
【図９】野地板用保護板の表面側（換気瓦に接する側）の構成を示す説明用正面図である。
【図１０】野地板用保護板の裏面側（野地板に接する側）の構成を示す説明用正面図である。
【図１１】野地板用保護板の構成を示すための説明用Ａ―Ａ切断線断面図である。
【図１２】本考案に係る屋根裏換気用器具付換気瓦を屋根に葺く際に使用する野地板用保護板を野地板に設置する様子を示す説明用斜視図である。
【図１３】野地板用保護板の上に本考案に係る屋根裏換気用器具付換気瓦を設置する様子を示す説明用斜視図である。
【考案を実施するための形態】
【００１９】
本考案は、人工的なエネルギーを必要とせず、また安価で設置が容易であり、夏場には屋根裏の空間の換気をし、冬場には屋根裏の空間の換気をしない機能を有する、屋根裏換気用器具、該屋根裏換気用器具を装着する換気瓦、該屋根裏換気用器具付換気瓦を使用する屋根裏換気装置、係るものである。以下図面に基づいて、本考案に係る屋根裏換気用器具の実施の形態を説明する。
【実施例１】
【００２０】
図１は、本考案に係る屋根裏換気用器具を装着する換気瓦の構成を示す、換気瓦の表面側から見た説明用斜視図である。また図２は、図１の換気瓦の内部に装着される本考案に係る屋根裏換気用器具の構成を示す説明用斜視図である。
【００２１】
図１に示される屋根裏換気用の換気瓦は換気筒部を有し、換気筒部は裏面側に設けられる第1換気孔と、前記第1換気孔に連なる換気通路と、前記換気通路の内壁に該通路の一部を閉塞し通路に対して略垂直に形成される堰部と、前記換気通路の外気側に形成される第2換気孔と、を備える。１００は屋根裏換気用の換気瓦であり、１２１は瓦の表面、１２２は瓦の裏面であり、１１０は換気筒部であり、１０１は裏面１２２側に設けられる第1換気孔であり、１０２は前記第1換気孔１０１に連なる換気通路であり、１０３は換気通路の内壁に該通路の一部を閉塞し通路に対して略垂直に形成される堰部であり、１０４は換気通路の外気側に形成される第2換気孔である。図３は本考案に係る屋根裏換気用器具を装着する換気瓦の表面側から見た内部の構成を示す説明用一部断面斜視図である。
【００２２】
図１及び図２に示される本考案に係る屋根裏換気用器具は、換気瓦の換気筒部内部に装着されて、屋根裏換気用器具に設置される形状記憶合金製のバネ部の伸縮により、野地板の開口部と該屋根裏換気用器具を通じて、自然に屋根裏の換気を行い得ることを特徴とする。
【００２３】
図２に示されるように、屋根裏換気用器具は本体部と第1換気孔開閉部と中仕切り部と金網装着部とを有し、２００は屋根裏換気用器具であり、２１０は本体部であり、２２０は第1換気孔開閉部であり、２３０は中仕切り部であり、２４０は金網装着部である。図１に示されるように本体部２１０は換気瓦の第1換気孔１０１に嵌め込まれ固定され、第1換気孔開閉部２２０と中仕切り部２３０と金網装着部２４０は換気通路１０２内に収められる。
【００２４】
図１は換気瓦の表面側から見た説明用斜視図であるのに対し、図４は屋根裏換気用器具を装着する換気瓦の裏面側の構成を示す説明用斜視図である。また図５は、屋根裏換気用器具を装着された換気瓦の裏面側から見た瓦内部の構成を示す説明用斜視図である。屋根裏換気用器具は図４に示されるように、本体部２１０の形状が瓦の裏面１２２の第1換気孔１０１の形状と類似しているため、屋根裏換気用器具を装着されることによって図５に示されるように、瓦の裏面１２２は第1換気孔１０１に蓋をされる形になる。図４において４０１は平板瓦がずり落ちないようにするツメである。また図５においても４０１は平板瓦がずり落ちないようにするツメである。
図６は、本考案に係る屋根裏換気用器具を装着された換気瓦の裏面側（野地板側）の説明用正面図である。屋根裏換気用器具を装着されることによって瓦裏面の開口部は蓋をされている。屋根裏換気用器具はステンレス製であって、図示されていないが第2換気孔１０４にはステンレス製の金網を装着することができる。
【００２５】
図２に示されるように本体部２１０は、換気瓦１００の第1換気孔１０１と類似の形状を有し、第1換気孔開閉部２２０は、本体部２１０に設けられる開口部と該開口部に設置される蓋部と、該蓋部の前記換気通路側に設置されるバネ部と前記バネ部を固定するバネ保持部とを有する。２２１は本体部２１０に設けられる開口部であり、２２２は開口部に設置される蓋部であり、２２３は蓋部の前記換気通路側に設置されるバネ部であり、２２４はバネ部を固定するバネ保持部である。なお図２におけるバネ保持部２２４の形状は例示であって、これに限定されるものではない。
【００２６】
バネ部２２３は、バネ周辺の気温に依存して収縮・伸長する形状記憶合金製であって、蓋部２２２は、バネ部２２３周辺の気温が高い時には前記バネ部が収縮して蓋が開けられ、逆に、バネ部２２３周辺の気温が低い時には前記バネ部が伸長して蓋が閉じられる構造を有する。本考案の屋根裏換気用器具は形状記憶合金製のバネ部の伸縮によって、野地板の開口部と前記屋根裏換気用器具の第1換気孔開閉部を通じて、自然に屋根裏の換気を行い得ることを特徴とする。
【００２７】
夏季と冬季では、屋根に葺かれた瓦表面の温度には大きく相違があり屋根裏の空間の温度も相当異なるため、屋根裏の空間の温度に応じて開口部を開閉できることにより、気温に応じた屋根裏の効率的な換気が実現できる。夏季は屋根に降り注ぐ日射量が多いために、屋根に葺かれた瓦の温度は外気温より相当に高いものになり、屋根裏の空間の温度の上昇を招き、空気自体の熱伝導率は低いものの、徐々に、天井の下の屋内空間の温度の上昇を、招くこととなるので、屋根裏の空間の空気を換気すると、天井の下の屋内空間の温度の上昇を防止できる。逆に、冬季は、屋根裏の空間を換気しないことにより、天井の下の屋内空間の中の熱が外気に放出されてしまうことを防止できる。また、晴れの日と雨の日等の天候によっても、日射量の相違により瓦表面の温度が異なるため屋根裏の空間の温度も異なり、屋根裏の空間の温度に応じてバネが伸縮し開口部を開閉することにより換気をするかしないかを選択でき、雨の日には開口部を閉じて換気をしないことが可能となる。
【００２８】
中仕切り部２３０は、本体部２１０の1辺に一体化して略垂直に形成され、換気瓦堰部１０３の換気通路に対する垂直面と類似の形状を有し、装着の際には堰部１０３に密着固定される。
【００２９】
金網装着部２４０は、中仕切り部２３０に一方の端を固定されて第２換気孔１０４まで到達する細長の矩形板であって、固定されない側の端は折り曲げられて第2換気孔１０４を塞ぐ金網を装着することが可能である。２４１は金網装着部２４０の細長形状の腕部であり、２４２は該腕部２４１の固定されない側の端であって折り曲げられた部分である。２４２はステンレス製の雨水等侵入防止用金網をネジ止めで固定する用に孔が設けられる。ステンレス製の金網は図２では省略されているが、雨水や鼠等の小動物の侵入防止に便利である。
【００３０】
屋根裏換気用器具付換気瓦を屋根に葺く際には、換気瓦を葺く位置の野地板および野地板の上に貼られるルーフィングと呼ばれる樹脂製の下葺き材に開口部が設けられるが、該開口部から雨水が屋根裏の中に侵入することも想定される。そのため強風・豪雨等により換気瓦から開口部を通じて雨水が屋根裏に浸入することを未然に防止するために、野地板上の開口部を保護する必要がある。そこで考案者は換気瓦を設置する際に野地板用保護板を使用する装置を考えた。また瓦は焼き物であるため、換気筒部の換気孔の位置は瓦毎に微妙に異なるが、野地板用保護板を使用することによって孔の位置を調整することができる。
【００３１】
図８は本考案に係る屋根裏換気用器具付換気瓦を屋根に葺く際に使用する野地板用保護板の構成を示す説明用斜視図である。図８においては、上方が水上、下方が水下であって、図９，１０，１１においても同様である。また図９は本考案に係る屋根裏換気用器具付換気瓦を屋根に葺く際に使用する野地板用保護板の表側（換気瓦に接する側）の構成を示す説明用正面図である。図１２は該野地板用保護板を本考案に係る屋根裏換気用器具付換気瓦を配置する野地板の位置に設置した様子を示す説明用斜視図である。図１２においても、上方が水上、下方が水下である。図１２に示されるように野地板用保護板は、野地板の瓦桟に挟まれた領域の適当な位置に設けられる開口部の上に設置され、換気瓦と野地板の中間に挟まれる配置である。図８に示されるように野地板用保護板は第1保護板と第２保護板と、を有し、第1保護板の第２保護板と接していない側の面は、野地板の上に敷かれるルーフイングと呼ばれる樹脂製の下葺き材に接している。３１０は第1保護板であり、３２０は第２保護板である。第1保護板３１０は、前記野地板開口部に対峙する第1矩形孔部と、設置時に前記第1保護板の水上側の長辺に雨水の浸入防止用に前記瓦側への立ち上がり縁部水上側の長辺に雨水の浸入防止用に前記瓦側への立ち上がり縁部と、第1矩形孔部の水上側の長辺に雨水の浸入防止用に野地板側への折り曲げ縁部と、を備える。３１１は第1矩形孔部であり、３１２は第1保護板３１０の水上側の長辺に雨水の浸入防止用に設けられる瓦側への立ち上がり縁部であり、３１３は第1矩形孔部３１１の水上側の長辺に雨水の浸入防止用に設けられる野地板側への折り曲げ縁部である（図１１参照）。３１４は野地板に設置するためのネジ孔であって、３１０の角近辺に４箇所設けられる。
【００３２】
また第２保護板３２０は前記第1保護板の上に配置され、第1矩形孔部より開口面積が小さく第1矩形孔部に含まれる大きさの第2矩形孔部を有し、前記第2矩形孔部は前記換気瓦の第1換気孔の位置に対応して左右にスライドして孔の位置を調整することを可能とする構造である。３２１は第2矩形孔部であり、３２４は第２保護板３２０を左右にスライドさせ得るためのネジ孔部分であって、第２保護板３２０の長辺付近に４箇所設けられる。第２保護板は第２矩形孔部３２１の水下側の長辺に受け皿部を備え、該受け皿部はその外周に前記瓦側への立ち上がり縁を有し、第１矩形孔部を通過して野地板側に傾斜する形状を有し、また雨水の浸入防止用として前記第２矩形孔部の前記長辺以外の外周部に前記瓦側への立ち上がり縁を有している。３２２は受け皿部であり、３２３は受け皿部の水下側の長辺以外の外周に設けられる瓦側への立ち上がり縁であり、３２５は第２矩形孔部３２０の受け皿部３２２を取付る長辺以外の外周部に設けられる瓦側への立ち上がり縁である。よって前記換気瓦を屋根に設置する際には野地板用保護板を使用することにより、前記換気瓦の第1換気孔の位置に対応して正確に前記第2矩形孔部の位置調整をすることが可能であって、野地板開口部から屋根裏への雨水等の侵入の防止効果が期待できる。
【００３３】
図９は本考案に係る屋根裏換気用器具付換気瓦を屋根に葺く際に使用する野地板用保護板の表面側（換気瓦に接する側）の構成を示す説明用正面図である。また、図１０は本考案に係る屋根裏換気用器具付換気瓦を屋根に葺く際に使用する野地板用保護板の裏面側（野地板に接する側）の構成を示す説明用正面視図である。図８及び図１０に示されるように、受け皿３２２は第２矩形孔部３２１の水下側の長辺に溶接等により固定され、その面積は第１矩形孔部よりは小さく第２矩形孔部３２１よりは少し大きい大きさであって、水上側の長辺が水下側長辺より若干長い台形形状である。また、図１１は屋根裏換気用器具付換気瓦を屋根に葺く際に使用する野地板用保護板の構成を示すための説明用Ａ―Ａ切断線断面図である。図１１において、上方が水上側、下方が水下側、右方が野地板側、左方が瓦側である。図１１に示されるように、受け皿３２２は第１矩形孔部を通過して野地板側に少し傾斜している。また第２矩形孔部３２１の受け皿３２２が設置される長辺以外の外周には瓦側への立ち上がり縁３２３を備えている。なお、この受け皿３２２の形状は例示であってこれに限定されるものではないが、第１矩形孔部及び第２矩形孔部から雨水が漏れることを阻むためにこのような形状となっている。図１１に示されるように、第1保護板３１０の水上側の長辺の瓦側への立ち上がり縁部３１２及び第1矩形孔部３１１の水上側の長辺の野地板側への折り曲げ縁部３１３の形状も同様に雨水の浸入防止に役立っている。
【００３４】
図１３は野地板用保護板３００の上に本考案に係る屋根裏換気用器具付換気瓦を設置する様子を示す説明用斜視図である。４００は屋根の棟部である。図１３に示すように屋根裏換気用器具付換気瓦１００は、屋根の棟部４００付近に設置される。屋根裏空間の効率的な空気の流れを作るために空気の出口と入口が必要とされることから、屋根裏換気用器具付換気瓦１００は屋根の正面に向かって左右２つで１セットとするために、屋根の表面積に応じて偶数個が設置される。また、屋根裏換気用器具付換気瓦１００は屋根裏換気のための換気孔面積の合計、即ち、屋根裏換気用器具のバネ部が収縮して蓋が開けられる際の第1換気孔開閉部２２０と蓋部２２２との隙間、及び野地板用保護板の第２矩形孔部３２１と受け皿３２２との隙間の面積の合計値が、家屋の天井面積の１６００分の１以上になるように、屋根裏換気用器具付換気瓦の配置される個数が決められる。
【産業上の利用可能性】
【００３５】
本考案に係る屋根裏換気用器具、該屋根裏換気用器具付換気瓦、該屋根裏換気用器具付換気瓦装置、屋根裏換気装置により、安価な費用で、人工的なエネルギーを用いないで、夏場には屋根裏の空間の換気をし、冬場には屋根裏の空間の換気をしない機能を有する、屋根裏換気用器具、該屋根裏換気用器具付換気瓦、該屋根裏換気用器具付換気瓦装置、屋根裏換気装置を提供できる。
【符号の説明】
【００３６】
１００      換気瓦
１０１      裏面１２２側に設けられる第1換気孔
１０２      第1換気孔１０１に連なる換気通路
１０３      換気通路の内壁に形成される堰部
１０４      第2換気孔
１１０      換気筒部
１２１      換気瓦の表面
１２２      換気瓦の裏面
２００      屋根裏換気用器具
２１０      本体部
２２０      第1換気孔開閉部
２２１      開口部
２２２      蓋部
２２３      バネ部
２２４      バネ保持部
２３０      中仕切り部
２４０      金網装着部
２４１      腕部
２４２      金網装着部端部
３００      野地板用保護板
３１０      第1保護板
３１１      第1矩形孔部
３１２      第1保護板３１０の瓦側への立ち上がり縁部
３１３      第1矩形孔部３１１の野地板側への折り曲げ縁部
３１４      野地板に設置するためのネジ孔
３２０      第２保護板
３２１      第２矩形孔部
３２２      受け皿部
３２３      受け皿部の瓦側への立ち上がり縁
３２４      第２保護板３２０を左右にスライドさせ得るためのネジ孔部分
３２５      第２矩形孔部３２０の瓦側への立ち上がり縁
４００      棟部
４０１      平板瓦のツメ
４１０      瓦桟
４２０      野地板の開口部
Ｕ          水上側を示す矢印
Ｄ          水下側を示す矢印
【図１】
0003181097.tif 000003
【図２】
0003181097.tif 000004
【図３】
0003181097.tif 000005
【図４】
0003181097.tif 000006
【図５】
0003181097.tif 000007
【図６】
0003181097.tif 000008
【図７】
0003181097.tif 000009
【図８】
0003181097.tif 000010
【図９】
0003181097.tif 000011
【図１０】
0003181097.tif 000012
【図１１】
0003181097.tif 000013
【図１２】
0003181097.tif 000014
【図１３】
0003181097.tif 000015